(57)【要約】【課題】本発明は、決まった時間に電源をオンオフする用途の投射型映像表示装置であって、煩雑な操作や余分な取り扱いの注意を必要としない盗難防止機能を備えた投射型映像表示装置の提供を目的とする。【解決手段】  本発明の投射型映像表示装置は、電源オン操作を含む使用者操作を受け付ける操作部９と、電源オン操作が行われた時刻と、予め設定された電源オン時間との比較に基づき、電源オン操作が不正か否かを判断する判断制御部５とを備え、判断制御部５が電源オン操作を不正でないと判断した場合にのみ、通常映像を投射する。【選択図】図１
2015135449.tif 000002
【特許請求の範囲】
【請求項１】
電源オン操作を含む使用者操作を受け付ける操作部と、
前記電源オン操作が行われた時刻と、予め設定された電源オン時間との比較に基づき、前記電源オン操作が不正か否かを判断する不正使用判断部とを備え、
前記不正使用判断部が前記電源オン操作を不正でないと判断した場合にのみ、通常映像を投射する、
投射型映像表示装置。
【請求項２】
前記不正使用判断部が前記電源オン操作を不正と判断した場合に不正使用フラグをオンにし、且つ、前記操作部に対する予め設定された使用者操作に基づき前記不正使用フラグをオフにするフラグ制御部をさらに備え、
前記不正使用フラグがオフである場合にのみ通常映像を投射する、
請求項１に記載の投射型映像表示装置。
【請求項３】
前記電源オン時間は予め複数設定されている、
請求項２に記載の投射型映像表示装置。
【請求項４】
前記不正使用判断部は、前記電源オン操作が行われた日時と、前記電源オン時間および予め設定された電源オン日との比較に基づき、前記電源オン操作が不正か否かを判断する、
請求項２または３に記載の投射型映像表示装置。
【請求項５】
前記不正使用判断部は、前記電源オン操作が行われた時刻および曜日と、前記電源オン時間および予め設定された電源オン曜日との比較に基づき、前記電源オン操作が不正か否かを判断する、
請求項２から４のいずれかに記載の投射型映像表示装置。
【請求項６】
前記操作部が受け付ける前記使用者操作は電源オフ操作を含み、
前記不正使用判断部は、前記電源オフ操作が行われた時刻と、予め設定された電源オフ時間との比較に基づき、前記電源オフ操作が不正か否かを判断し、
前記フラグ制御部は、前記電源オフ操作が不正である場合に前記不正使用フラグをオンにする、
請求項２から５のいずれかに記載の投射型映像表示装置。
【請求項７】
前記電源オフ時間は予め複数設定されている、
請求項６に記載の投射型映像表示装置。
【請求項８】
前記不正使用判断部は、前記電源オフ操作が行われた日時と、前記電源オフ時間および予め設定された電源オフ日との比較に基づき、前記電源オフ操作が不正か否かを判断する、
請求項６または７のいずれかに記載の投射型映像表示装置。
【請求項９】
前記不正使用判断部は、前記電源オフ操作が行われた時刻および曜日と、前記電源オフ時間および予め設定された電源オフ曜日との比較に基づき、前記電源オフ操作が不正か否かを判断する、
請求項６から８のいずれかに記載の投射型映像表示装置。
【発明の詳細な説明】
【技術分野】
【０００１】
この発明は、投射型映像表示装置の不正使用を防止する技術に関する。
【背景技術】
【０００２】
周知の技術であるプロジェクタ等の投射型映像表示装置は、会議でのプレゼンテーション、教室での講義または家庭での映像鑑賞等の用途に広く用いられている。とりわけ近年では、デジタルサイネージの発達と共に、水族館または博物館等の公共施設での案内表示や、展示会における展示説明、商業施設における商品説明等にも用いられている。このように不特定多数の観衆者の下に設置された投射型映像表示装置は、盗難被害や不正使用に遭うことが多い。
【０００３】
そこで、盗難防止または不正使用防止の対策として、パスワード設定による画面ロック機能を装備した投射型映像表示装置が提案されている（特許文献１）。この投射型映像表示装置は、装置の電源がオンされた時にパスワードの入力を要求し、使用者が入力したパスワードが予め登録されたパスワードと一致した時にのみ操作を許可することにより、正当な使用者以外の不正使用を防止している。
【０００４】
盗難防止の別の対策としては、加速度センサーを搭載し、装置が取り外されたり持ち運ばれたりしたことを検知し警報を発する投射型映像表示装置が提案されている（特許文献２）。
【先行技術文献】
【特許文献】
【０００５】
【特許文献１】特開２００４−７７９６７号公報
【特許文献２】特許第４８３１９８２号公報
【発明の概要】
【発明が解決しようとする課題】
【０００６】
しかし、特許文献１で提案された投射型映像表示装置は、使用者が電源を入れる度に必ずパスワードを入力する必要があり、操作が煩雑である。しかも、電源を入れる操作者は全てパスワードを知ることになるため、パスワードを開示する人員を最小限にすることが難しく、表示装置を継続して使うほど不正使用防止の効果が薄れてしまうという問題がある。
【０００７】
また、特許文献２に開示された投射型映像表示装置は、使用者が誤って装置を傾けたり移動の際に装置を揺らしたりすることで、使用者が意図しない警報が動作することがあるため、取り扱いに余分な注意をしなければならない。
【０００８】
ところで、投射型映像表示装置を展示会や商業施設などで使う場合、施設の開場と同時に投射型映像表示装置の電源をオンし、定められた展示時間が経過した後に電源をオフするというように、決まった時間に電源をオンオフするサイクルを繰り返すことが多い。
【０００９】
本発明は、このような決まった時間に電源をオンオフする用途の投射型映像表示装置であって、煩雑な操作や余分な取り扱いの注意を必要としない盗難防止機能を備えた投射型映像表示装置の提供を目的とする。
【課題を解決するための手段】
【００１０】
本発明の投射型映像表示装置は、電源オン操作を含む使用者操作を受け付ける操作部と、電源オン操作が行われた時刻と、予め設定された電源オン時間との比較に基づき、電源オン操作が不正か否かを判断する不正使用判断部とを備え、不正使用判断部が電源オン操作を不正でないと判断した場合にのみ、通常映像を投射する。
【発明の効果】
【００１１】
本発明の投射型映像表示装置は、電源オン操作を含む使用者操作を受け付ける操作部と、電源オン操作が行われた時刻と、予め設定された電源オン時間との比較に基づき、電源オン操作が不正か否かを判断する不正使用判断部とを備え、不正使用判断部が電源オン操作を不正でないと判断した場合にのみ、通常映像を投射する。従って、予め設定された電源オン時間内であれば、煩雑な操作を行うことなく電源オンすることができる一方、それ以外の時間に電源オン操作を行っても不正と判断され通常映像が表示されないので、盗難防止効果を奏する。
【図面の簡単な説明】
【００１２】
【図１】実施の形態１に係る投射型映像表示装置の構成を示すブロック図である。
【図２】実施の形態１に係る投射型映像表示装置の電源オフ操作時の判断制御部の動作を示すフローチャートである。
【図３】実施の形態１に係る投射型映像表示装置の電源オン操作時の判断制御部の動作を示すフローチャートである。
【図４】電源オン時間と電源オフ時間の設定例を示す図である。
【図５】複数の電源オン時間と電源オフ時間の設定例を示す図である。
【図６】実施の形態１の変形例１に係る投射型映像表示装置の電源オフ操作時の判断制御部の動作を示すフローチャートである。
【図７】実施の形態１の変形例１に係る投射型映像表示装置の電源オン操作時の判断制御部の動作を示すフローチャートである。
【図８】電源オン時間と電源オフ時間を曜日ごとに設定する例を示す図である。
【図９】実施の形態１の変形例３に係る投射型映像表示装置の構成を示すブロック図である。
【発明を実施するための形態】
【００１３】
＜Ａ．実施の形態１＞
＜Ａ−１．構成＞
図１は本発明の実施の形態１に係る投射型映像表示装置１の構成を示すブロック図である。投射型映像表示装置１は、入力信号処理部２、映像処理部３、投射表示部４、判断制御部５、メモリ６、タイマー７、バッテリー８および操作部９を備えている。
【００１４】
入力信号処理部２は、投射型映像表示装置１の入力端子に入力された映像信号を受け取り、これにレベル調整や変換を行って映像処理部３に出力する。
【００１５】
映像処理部３は、判断制御部５からの指示に従い、入力映像を警告表示に差し替えるか否かを選択する。差し替えない場合、映像処理部３は入力信号処理部２から入力された映像信号を投射表示部４に送るが、差し替える場合は、警告表示用の映像信号を投射表示部４に送る。
【００１６】
投射表示部４は、映像処理部３から入力された映像信号に従って光変調素子を駆動することにより、映像表示を行う。
【００１７】
操作部９は、使用者の投射型映像表示装置１に対する操作を受け付ける入力インタフェースであり、受け付けた操作についての情報（操作情報）を判断制御部５に出力する。
【００１８】
メモリ６は不摘発性の記憶素子であり、電源オン時間、電源オフ時間および不正使用フラグを格納する。
【００１９】
タイマー７は、現在の時刻を常時計時しており、判断制御部５からの指示で現在の時刻情報を判断制御部５へ返答する機能と、判断制御部５からの指示で現在の時刻を設定する機能を備える。タイマー７はバッテリー８から電源が供給され、投射型映像表示装置１に電源が供給されていなくても一定期間の時刻計測が可能である。なお、通信手段により外部から随時、現在時刻の情報を取得する構成にしても良く、その場合はタイマー７とバッテリー８はなくても良い。
【００２０】
判断制御部５は、操作部９から受けた操作情報に基づき、投射型映像表示装置１の電源オン時間および電源オフ時間をメモリ６に記録し、現在の時刻をタイマー７に設定する。ここで記録する電源オン時間および電源オフ時間は、その時間に行われた投射型映像表示装置の電源オン操作および電源オフ操作を、正常な使用と判断するためのものである。電源オン時間以外に行われる電源オン操作および電源オフ時間以外に行われる電源オフ操作は、投射型映像表示装置の不正使用とみなされる。
【００２１】
また、判断制御部５は、操作情報から電源オン操作または電源オフ操作がなされたことを知ると、その操作が不正使用であるか否かを判断する不正使用判断部として機能する。
【００２２】
具体的には、電源オン操作についての操作情報を取得すると、メモリ６を参照し、不正使用フラグがオンであれば、通常の入力映像の表示を行わないように映像処理部３に指示を行う。ここで、通常の入力映像とは、入力端子から投射型映像表示装置１に入力された映像のことである。こうして、不正な電源オン操作によっては、投射型映像表示装置１が通常の動作を行わないようにする。本実施の形態では、通常の動作以外の動作として警告表示を行うこととする。従って、この場合、判断制御部５は映像処理部３に警告表示を行うよう指示する。また、不正使用フラグがオフであっても、当該操作情報を取得した時のタイマー７の時刻と、メモリ６に記録された電源オン時間とを比較し、一致していれば正常使用、異なっていれば不正使用と判断する。そして、不正使用と判断すればメモリ６の不正使用フラグをオンにし、警告表示を行うよう映像処理部３に指示を行う。
【００２３】
また、電源オフ操作についての操作情報を取得すると、当該操作情報を取得した時のタイマー７の時刻と、メモリ６に記録された電源オフ時間とを比較し、一致していれば正常使用、異なっていれば不正使用と判断する。そして、不正使用と判断すれば不正使用フラグをオンにする。
【００２４】
使用者が不正使用フラグをオフにするための特定の解除操作を操作部９に行い、当該解除操作の操作情報が操作部９から判断制御部５に出力されると、判断制御部５はメモリ６の不正使用フラグをオフにする。例えば、特定の解除操作としては、パスワードの入力操作等が考えられる。すなわち、上記の警告表示を行っている状態で、使用者が操作部９からパスワードを入力できるようにしておき、入力されたパスワードがメモリ６に記録済みのパスワードに一致する場合に、メモリ６の不正使用フラグをオフにする。こうして、判断制御部５は、電源オン操作を不正と判断した場合に不正使用フラグをオンにし、且つ、操作部９に対する予め設定された使用者操作（解除操作）に基づき不正使用フラグをオフにするフラグ制御部として機能する。
【００２５】
＜Ａ−２．動作＞
図２は、使用者が投射型映像表示装置１の電源オフ操作を行った時の、判断制御部５の動作を示すフローチャートである。以下、図２に沿って、電源オフ操作時の判断制御部５の動作を説明する。
【００２６】
使用者が操作部９で電源オフ操作を行うと、その操作情報が操作部９から判断制御部５に送られる。判断制御部５は操作部９から電源オフ操作についての操作情報を受けると（ステップＳ１）、電源オフ時間が設定されているか、すなわちメモリ６に電源オフ時間が記録されているかを確認する（ステップＳ２）。
【００２７】
電源オフ時間が記録されていなければ、電源オフ処理を行う（ステップＳ３）。電源オフ時間が記録されていれば、タイマー７から取得した現在時刻が、電源オフ時間の条件を満たすか否かを判断する（ステップＳ４）。電源オフ時間は、例えば７：００というようにピンポイントで設定される場合もあるし、例えば、７：００〜７：１５というように一定の範囲で設定される場合もある。現在時刻が電源オフ時間に一致するか含まれる場合に、条件を満たすと判断する。
【００２８】
現在時刻が電源オフ時間の条件を満たす場合には、電源オフ操作は正常な使用であると判断し、電源オフ処理を行う（ステップＳ６）。一方、現在の時刻が電源オフ時間の条件を満たさない場合は、不正な使用であると判断し、不正使用フラグをオンにする（ステップＳ５）。その後、電源オフ処理を行う（ステップＳ６）。
【００２９】
図３は、使用者が投射型映像表示装置１の電源オン操作を行った時の、判断制御部５の動作を示すフローチャートである。以下、図３に沿って、電源オン操作時の判断制御部５の動作を説明する。
【００３０】
使用者が操作部９で電源オン操作を行うと、その操作情報が操作部９から判断制御部５に送られる。判断制御部５は操作部９から電源オン操作についての操作情報を受けると（ステップＳ１１）、メモリ６を参照し、不正使用フラグがオンか否かを判断する（ステップＳ１２）。
【００３１】
ステップＳ１２で不正使用フラグがオンならば、判断制御部５は映像処理部３に警告表示を指示する（ステップＳ１３）。そして、使用者が解除操作を操作部９に行い、当該解除操作の操作情報が操作部９から送られるまで、解除操作受付以外の処理を禁止して待機する（ステップＳ１９）。解除操作の操作情報を取得すると、不正使用フラグをオフにし（ステップＳ２０）、通常の入力映像の表示を映像処理部３に指示する（ステップＳ２１）。
【００３２】
ステップＳ１２で不正使用フラグがオフならば、判断制御部５は電源オン時間が設定されているか、すなわちメモリ６に電源オン時間が記録されているかを確認する（ステップＳ１４）。電源オン時間が設定されていなければ、通常の入力映像の表示を行うよう映像処理部３に指示する（ステップＳ１５）。
【００３３】
電源オン時間が設定されていれば、タイマー７から取得した現在時刻が、電源オン時間の条件を満たすか否かを判断する（ステップＳ１６）。現在時刻が電源オン時間に一致するか含まれる場合に、条件を満たすと判断する。
【００３４】
現在時刻が電源オン時間の条件を満たす場合には、電源オン操作は正常な使用であると判断し、通常の入力映像の表示を行うよう映像処理部３に指示する（ステップＳ２１）。現在時刻が電源オン時間の条件を満たさない場合は、電源オン操作は不正な使用であると判断し、不正使用フラグをオンにする（ステップＳ１７）。そして、判断制御部５は映像処理部３に警告表示を指示する（ステップＳ１３）。そして、使用者が解除操作を操作部９に行い、当該解除操作の操作情報が操作部９から送られるまで、解除操作受付以外の処理を禁止して待機する（ステップＳ１９）。解除操作の操作情報を取得すると、不正使用フラグをオフにし（ステップＳ２０）、通常の入力映像の表示を映像処理部３に指示する（ステップＳ２１）。
【００３５】
次に、投射型映像表示装置１の電源オン時間および電源オフ時間の設定例を説明する。図４（ａ）は、一般的な展示場で用いられるケースを想定した動作スケジュールを示し、図４（ｂ）はその時の電源オン時間および電源オフ時間の設定例を示している。投射型映像表示装置１は、ＡＭ１０：００の開場と同時に電源をオンし、ＰＭ７：００の閉場と同時に電源をオフするものとする（図４（ａ））。この場合、電源オン時間は電源オンの予定時刻に対し前後３０分の余裕を設けてＡＭ９：３０〜１０：３０と設定し、電源オフ時間は電源オフの予定時刻に対し前後３０分の余裕を設けてＰＭ６：３０〜７：３０と設定する（図４（ｂ））。
【００３６】
このように設定すれば、動作スケジュール通りの使用においては何ら特別な操作を行うことなく使用することが可能である。しかし、投射型映像表示装置１の電源オフ時に無断で持ち出し別の用途に使用しようとしても、設定した電源オン時間以外に電源オン操作が行われると、警告映像が表示され通常の使用ができないため、不正使用を防止できる。また、投射型映像表示装置１を使用中に持ち出すため、電源オフ時間と異なる時刻に電源オフ操作を行った場合は、不正使用フラグがオンとなる。そのため、次に投射型映像表示装置１の電源を投入する時には、警告映像が表示され通常の使用ができず、よって不正使用を防止できる。
【００３７】
前述のように、一度設定していない時刻に電源オンまたは電源オフの操作がなされると、不正使用フラグがメモリ６に記録されるため、その後操作部９から管理者だけに開示された解除操作により不正使用フラグを消去しない限り、第三者による投射型映像表示装置１の使用が不可能になる。こうして、転用のための盗難を防止することができる。
【００３８】
＜Ａ−３．変形例＞
図４では、一組の電源オン時間と電源オフ時間を設定することについて述べたが、映画館や劇場等、１日に何回かの決まった時刻に表示を行う場合を想定し、変形例１として複数の電源オン時間と電源オフ時間を設定しても良い。図５はそのような設定例を示しており、ＡＭ９：３０〜１０：３０およびＰＭ２：３０〜３：３０に電源オン時間を、ＡＭ１１：３０〜１２：３０およびＰＭ４：３０〜５：３０に電源オフ時間を設定した例を示している。
【００３９】
また、変形例２として、判断制御部５は現在時刻だけでなく現在の曜日も用いて不正使用か否かを判断しても良い。この場合、タイマー７は時刻に加えて曜日の計時を行い、判断制御部５は操作部９の操作によりメモリ６に曜日毎の電源オン時間および電源オフ時間を設定する。そして、電源オン操作または電源オフ操作時に、曜日と時刻の両方の情報を用いて不正に使用されていないか判断する。
【００４０】
図６は、使用者が変形例２の投射型映像表示装置に対して電源オフ操作を行った時の、判断制御部５の動作を示すフローチャートである。変形例２では、判断制御部５が操作部９から電源オフ操作についての操作情報を受けると（ステップＳ３１）、電源オフ時間および電源オフ曜日が設定されているか、すなわちメモリ６にこうした情報が記録されているかを確認する（ステップＳ３２）。
【００４１】
電源オフ時間および電源オフ曜日が記録されていなければ、電源オフ処理を行う（ステップＳ３３）。電源オフ時間および電源オフ曜日が記録されていれば、タイマー７から取得した現在時刻および現在曜日が、電源オフ時間および電源オフ曜日の条件を満たすか否かを判断する（ステップＳ３４）。
【００４２】
現在時刻が電源オフ時間の条件を満たす場合には、電源オフ操作は正常な使用であると判断し、電源オフ処理を行う（ステップＳ３６）。一方、現在の時刻が電源オフ時間の条件を満たさない場合は、不正な使用であると判断し、不正使用フラグをオンにする（ステップＳ３５）。その後、電源オフ処理を行う（ステップＳ３６）。
【００４３】
図７は、使用者が変形例２の投射型映像表示装置に対して電源オン操作を行った時の、判断制御部５の動作を示すフローチャートである。以下、図３のフローチャートと異なる図７のステップＳ４４，４６について説明する。ステップＳ４２で不正使用フラグがオフならば、判断制御部５は電源オン時間および電源オン曜日が設定されているか、すなわちメモリ６にこれらの情報が記録されているかを確認する（ステップＳ４４）。電源オン時間および電源オン曜日が設定されていれば、タイマー７から取得した現在時刻および現在曜日が、電源オン時間および電源オン曜日の条件を満たすか否かを判断する（ステップＳ４６）。条件を満たす場合には、電源オン操作は正常な使用であると判断し、通常の入力映像の表示を行うよう映像処理部３に指示する（ステップＳ５１）。
【００４４】
このように電源オン曜日または電源オフ曜日を設定することで、曜日ごとに電源オン時間または電源オフ時間を変更したり、任意の曜日のみに電源オン時間または電源オフ時間を設定したりすることが可能となる。例えば図８には、投射型映像表示装置を設置する施設の休館日が水曜日であることを想定し、その時の電源オン時間および電源オフ時間の設定例を示している。このように、投射型映像表示装置の使用態様に併せて電源オン時間、電源オフ時間、電源オン曜日および電源オフ曜日を柔軟に設定することにより、不正使用防止の効果をより高めることができる。
【００４５】
また、変形例３として、判断制御部５は現在時刻だけでなく日の情報も用いて不正使用か否かを判断しても良い。この場合、タイマー７は時刻に加えて日の計時を行い、判断制御部５は操作部９の操作によりメモリ６に日毎の電源オン時間および電源オフ時間を設定する。言い換えれば、電源オン時間および電源オフ時間の他に、電源オン日および電源オフ日を設定する。このように、任意の日ごとに電源オン時間または電源オフ時間を柔軟に設定し、不正使用防止の効果をより高めることができる。
【００４６】
図９は、変形例４に係る投射型映像表示装置１Ａの構成を示すブロック図である。投射型映像表示装置１Ａは、投射型映像表示装置１の構成に加えて検知部１０を備えている。検知部１０は、指紋認証などの生体認識部や、ＩＣカードを認証する検知部や、ダイヤルキーのような物理的なスイッチの検出部であり、これらのいずれか、またはこれらを組み合わせた方法をパスワード入力に代えて用い、不正使用フラグをオフすることとしても良い。
【００４７】
また、上記の説明では、電源オン時間と電源オフ時間を設定することとしたが、変形例５として、電源オン時間のみを設定した場合であっても、電源オン時間以外の使用を行わせないという点で、不正使用を防止する効果を奏する。電源オフ時間を設定しない場合は、メモリ６への不正使用フラグの記録は不要としてもよい。
【００４８】
＜Ａ−４．効果＞
実施の形態１の投射型映像表示装置１は、電源オン操作を含む使用者操作を受け付ける操作部９と、電源オン操作が行われた時刻と、予め設定された電源オン時間との比較に基づき、電源オン操作が不正か否かを判断する判断制御部５（不正使用判断部）とを備え、判断制御部５が電源オン操作を不正でないと判断した場合にのみ、通常映像を投射する。電源オン操作が行われた時刻が電源オン時間に含まれる場合にのみ通常映像を投射することによって、毎回の認証操作等の複雑な操作を使用者に行わせることなく、不正使用を防止することができる。
【００４９】
また、判断制御部５は、電源オン操作を不正と判断した場合に不正使用フラグをオンにし、且つ、操作部９に対する予め設定された使用者操作に基づき不正使用フラグをオフにするフラグ制御部として動作する。そして、投射型映像表示装置１は、不正使用フラグがオフである場合にのみ通常映像を投射するので、毎回の認証操作等の複雑な操作を使用者に行わせることなく、不正使用を防止することができる。
【００５０】
また、電源オン時間を予め複数設定することにより、投射型映像表示装置１の使用態様に即して不正使用を防止することができる。
【００５１】
また、判断制御部５（不正使用判断部）は、電源オン操作が行われた日時と、電源オン時間および予め設定された電源オン日との比較に基づき、電源オン操作が不正か否かを判断することにより、投射型映像表示装置１の使用態様に即して不正使用を防止することができる。
【００５２】
また、判断制御部５（不正使用判断部）は、電源オン操作が行われた時刻および曜日と、電源オン時間および予め設定された電源オン曜日との比較に基づき、電源オン操作が不正か否かを判断することにより、投射型映像表示装置１の使用態様に即して不正使用を防止することができる。
【００５３】
また、投射型映像表示装置１において、操作部９が受け付ける使用者操作は電源オフ操作を含み、判断制御部５（不正使用判断部）は、電源オフ操作が行われた時刻と、予め設定された電源オフ時間との比較に基づき、電源オフ操作が不正か否かを判断し、判断制御部５（不正使用判断部）は、電源オフ操作が不正である場合に不正使用フラグをオンにする。これにより、例えば投射型映像表示装置１を使用中に持ち出すため、電源オフ時間と異なる時刻に電源オフ操作を行った場合は、不正使用フラグがオンとなる。そのため、次に投射型映像表示装置１の電源を投入する時には、警告映像が表示され通常の使用ができず、よって不正使用を防止できる。
【００５４】
また、電源オフ時間を予め複数設定することにより、投射型映像表示装置１の使用態様に即して不正使用を防止することができる。
【００５５】
また、判断制御部５（不正使用判断部）は、電源オフ操作が行われた日時と、電源オフ時間および予め設定された電源オフ日との比較に基づき、電源オフ操作が不正か否かを判断することにより、投射型映像表示装置１の使用態様に即して不正使用を防止することができる。
【００５６】
また、判断制御部５（不正使用判断部）は、電源オフ操作が行われた時刻および曜日と、電源オフ時間および予め設定された電源オフ曜日との比較に基づき、電源オフ操作が不正か否かを判断することにより、投射型映像表示装置１の使用態様に即して不正使用を防止することができる。
【００５７】
なお、本発明は、その発明の範囲内において、実施の形態を適宜、変形、省略することが可能である。
【符号の説明】
【００５８】
１  投射型映像表示装置、２  入力信号処理部、３  映像処理部、４  投射表示部、５  判断制御部、６  メモリ、７  タイマー、８  バッテリー、９  操作部、１０  検知部。
【図１】
2015135449.tif 000003
【図２】
2015135449.tif 000004
【図３】
2015135449.tif 000005
【図４】
2015135449.tif 000006
【図５】
2015135449.tif 000007
【図６】
2015135449.tif 000008
【図７】
2015135449.tif 000009
【図８】
2015135449.tif 000010
【図９】
2015135449.tif 000011